(57)【要約】【課題】  高画質で耐擦性に優れた記録画像を提供し得る液体組成物、並びに該液体組成物を用いたインクセット及び画像形成方法を提供すること。【解決手段】  記録媒体上で、インクと、少なくともダイヤモンド粒子を含有する液体組成物とを混合させる。ダイヤモンド粒子は、衝撃法によって製造された合成ダイヤモンドが好ましく、また、球形状のものが好ましい。また、ダイヤモンド粒子の含有量は０．５〜８重量％であることが好ましい。【選択図】  なし【特許請求の範囲】
【請求項１】
記録媒体上でインクと混合される液体組成物であって、少なくともダイヤモンド粒子を含有する液体組成物。
【請求項２】
上記ダイヤモンド粒子は、衝撃法によって製造された合成ダイヤモンドであることを特徴とする請求項１記載の液体組成物。
【請求項３】
上記ダイヤモンド粒子は球形状である請求項１又は２記載の液体組成物。
【請求項４】
上記ダイヤモンド粒子の含有量が０．５〜８重量％である請求項１〜３の何れかに記載の液体組成物。
【請求項５】
親水性溶剤及び水を含有し、着色剤を含有しない請求項１〜４の何れかに記載の液体組成物。
【請求項６】
インクジェット方式により記録媒体に付着される請求項１〜５の何れかに記載の液体組成物。
【請求項７】
請求項１〜６の何れかに記載の液体組成物と、着色剤として顔料を含有する有色インクの１種以上とを備えたインクセット。
【請求項８】
請求項７記載のインクセットを収容したインクカートリッジ。
【請求項９】
（Ａ）着色剤として顔料を含有する有色インクをインクジェット方式により記録媒体に付着させる工程と、（Ｂ）請求項１〜５の何れかに記載の液体組成物をインクジェット方式により記録媒体に付着させる工程とを有する画像形成方法。
【請求項１０】
上記工程（Ｂ）を、上記工程（Ａ）と同時か、又は上記工程（Ａ）より後に行なう請求項９記載の画像形成方法。
【発明の詳細な説明】
【技術分野】
【０００１】
本発明は、インクジェット記録中に有色インクと併用される液体組成物であって、耐擦性に優れた記録画像を提供し得る液体組成物、並びに該液体組成物を用いたインクセット及び画像形成方法に関する。
【背景技術】
【０００２】
インクジェット記録方式は、インクの液滴を飛翔させ、これを紙などの記録媒体に付着させて記録を行う印刷方法である。インクジェット記録用のインクとしては、従来、着色剤として染料を用いた染料インクが主流であったが、最近では、インクジェット記録画像に対してより優れた堅牢性（耐光性、耐ガス性、耐水性等）が要望されており、斯かる要望に対応し得るインクとして、染料に比して画像堅牢性に優れた顔料を着色剤として用いた顔料インクが用いられるようになってきている。
【０００３】
顔料インクを用いる場合に問題となるのは、記録画像の耐擦性（傷の付きにくさ）である。顔料インクを用いて作製された記録画像は、着色剤である顔料粒子が記録媒体の表面に定着することにより形成されているため、顔料粒子の該表面からの脱落が生じやすく、記録画像に傷が付きやすいという問題がある。特に、記録に使用する記録媒体が光沢紙のような表面光沢性（表面平滑性）の高い記録媒体であると、顔料粒子の脱落が生じやすい。
【０００４】
記録画像の耐擦性の改良方法として、例えば、特許文献１及び２には、顔料インク中にラテックスを含有させる方法が開示されている。また、特許文献３には、有色インクにより画像を形成した後、該画像上に、皮膜形成能を有するポリマーを含有し且つ実質的に着色剤を含有しない無色インクを吐出させる方法が開示されている。しかし、これらの方法は、表面光沢性の高い記録媒体においても耐擦性が十分に発揮される量のラテックスをインクに添加するとなると、インクの保存性の低下や記録ヘッドのノズルの目詰まり等による吐出不良が生じやすいという問題があった。
【０００５】
【特許文献１】特公昭６０−３２６６３号公報
【特許文献２】特開平４−１８４６２号公報
【特許文献３】特開２００５−８１７５４号公報
【発明の開示】
【発明が解決しようとする課題】
【０００６】
従って、本発明の目的は、高画質で耐擦性に優れた記録画像を提供し得る液体組成物、並びに該液体組成物を用いたインクセット及び画像形成方法を提供することにある。
【課題を解決するための手段】
【０００７】
本発明は、記録媒体上でインクと混合される液体組成物であって、少なくともダイヤモンド粒子を含有する液体組成物を提供することにより、上記目的を達成したものである。
【０００８】
また、本発明は、上記液体組成物と、着色剤として顔料を含有する有色インクの１種以上とを備えたインクセットを提供することにより、上記目的を達成したものである。
また、本発明は、上記インクセットを収容したインクカートリッジを提供することにより、上記目的を達成したものである。
【０００９】
また、本発明は、（Ａ）着色剤として顔料を含有する有色インクをインクジェット方式により記録媒体に付着させる工程と、（Ｂ）上記液体組成物をインクジェット方式により記録媒体に付着させる工程とを有する画像形成方法を提供することにより、上記目的を達成したものである。
【００１０】
本発明の液体組成物は、ダイヤモンド粒子を含有しているため、耐擦性に優れ、傷の付きにくい画像を記録することができる。即ち、着色剤として顔料を含有する有色インクを用いて記録媒体上に画像を形成する場合、該記録媒体上で本発明の液体組成物と該有色インクとを混合させることにより、無数のダイヤモンド粒子が顔料粒子より外部に突出した状態で記録媒体に定着し、顔料粒子の保護部材として機能する。この顔料粒子及びダイヤモンド粒子の定着部分（記録画像）は、その表面を指や他の記録媒体等で擦っても、シリカやアルミナ等の記録媒体形成材料より高硬度で耐摩耗性に優れる該ダイヤモンド粒子によって、該顔料粒子の他の物体との接触が安定的に防止されるため、該顔料粒子の脱落が起こりにくく、傷が付きにくい。
【００１１】
また、有色インクと共に本発明の液体組成物を用いて作製された記録画像は、耐擦性のみならず、発色性にも優れており、銀塩写真に匹敵する高品位、高画質なものである。また、本発明の液体組成物は、ダイヤモンド粒子を含んでいても、該ダイヤモンド粒子は微細な粒子であるため、吐出不良を起こし難く吐出安定性に優れており、インクジェット記録に安心して使用することができる。
【発明を実施するための最良の形態】
【００１２】
以下、先ず、本発明の液体組成物について説明する。本発明の液体組成物は、記録媒体上でインクと混合されて使用されるもので、ダイヤモンド粒子を必須成分として含有する。本発明の液体組成物は、好ましくは、インクジェット方式により記録媒体に付着される。
【００１３】
本発明の液体組成物に含有されるダイヤモンド粒子としては、天然ダイヤモンド、合成ダイヤモンドの何れを用いることもできるが、特に、合成ダイヤモンドが好ましく、中でも、衝撃法と呼ばれる、爆薬による数十万気圧の爆発衝撃を利用するダイヤモンド合成法によって製造された合成ダイヤモンドが好ましい。
【００１４】
また、ダイヤモンド粒子は球形状のものが好ましい。球形状のダイヤモンド粒子は、他の形状のダイヤモンド粒子に比して他の物体との接触面積が少ないため、該球形状のダイヤモンド粒子が、インク中に含まれていた着色剤より外部に突出した状態で記録媒体に定着し、該着色剤と共に記録画像を構成することで、該記録画像の表面を他の物体で擦ったときの該記録画像の該他の物体との接触面積を少なくすることが可能となり、記録画像の耐擦性をより一層高めることができる。
【００１５】
また、液体組成物中に含有されているダイヤモンド粒子の平均粒子径は、液体組成物の吐出安定性及び記録画像の発色性の観点から、好ましくは２００ｎｍ以下である。
【００１６】
ダイヤモンド粒子の含有量は、液体組成物の全重量に対して、好ましくは０．５〜８重量％、更に好ましくは０．６〜３重量％である。ダイヤモンド粒子の含有量が０．５重量％未満では、記録画像の耐擦性の向上効果に乏しい。逆に、該含有量が８重量％を超えると、記録媒体上に定着した顔料粒子の表面がダイヤモンド粒子によって過剰に被覆される結果、記録画像の発色性が低下するおそれがある。特に、本発明で好ましく用いられる、衝撃法によって製造された合成ダイヤモンドは、原料に黒鉛を用いているため、微量ではあるが黒鉛を含んでいる場合があり、このような黒鉛を含んだダイヤモンド粒子を液体組成物中に多量に含有させると、記録画像上に付着したときに彩度の低下を招くおそれがある。
【００１７】
本発明の液体組成物には、上述のダイヤモンド粒子の他に、通常、親水性溶剤及び水（主溶媒としての水）が含有される。水としては、イオン交換水、限外濾過水、逆浸透水、蒸留水等の純水、又は超純水を用いることができる。また、紫外線照射、又は過酸化水素添加などにより滅菌した水は、インクを長期保存する場合にカビやバクテリアの発生を防止することができるので好適である。
【００１８】
本発明の液体組成物に含有可能な親水性溶剤としては、インクジェット用水性インクに通常用いられているものは特に制限無く用いることができ、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン、１，２−アルカンジオール等が挙げられる。親水性溶剤の含有量は、吐出安定性及び記録媒体への浸透性の向上の観点から、液体組成物の全重量に対して好ましくは３〜２５重量％である。
【００１９】
また、本発明の液体組成物には、必要に応じて界面活性剤を含有させることができる。界面活性剤としては、両性界面活性剤及び非イオン界面活性剤が好ましく用いられる。両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。非イオン界面活性剤としては、アセチレングリコール系界面活性剤、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系、その他フッ素アルキルエステル、パーフルオロアルキルカルボン酸塩などの含フッ素系界面活性剤などがある。これらの界面活性剤は、１種を単独で用いてもよく、２種以上を混合して用いてもよい。界面活性剤の含有量は、液体組成物の全重量に対して好ましくは０．３〜２重量％である。
【００２０】
上記の界面活性剤の中でもアセチレングリコール系界面活性剤は、画質、吐出安定性などの面から特に好ましく、その例としては２，４，７，９−テトラメチル−５−デシン−４，７−ジオール、３，６−ジメチル−４−オクチン−３，６−ジオール、３，５−ジメチル−１−ヘキシン−３オールなどが挙げられる。市販のアセチレングリコール系界面活性剤としては、サーフィノール８２、１０４、４４０、４６５、４８５、またはＴＧ（いずれもAir Products and Chemicals.Inc.より入手可能）、オルフィンＳＴＧ、オルフィンＥ１０１０（商品名）（以上、日信化学社製）などが好ましく用いられる。また、シリコーン系界面活性剤も本発明で好ましく用いることができる。市販のシリコーン系界面活性剤としては、ＢＹＫ３４７、３４８（以上、ビックケミージャパン製）などが挙げられる。
【００２１】
本発明の液体組成物には、上述した成分の他に、必要に応じて、吐出安定性等を高めるための保湿剤（例えば、グルコース、マンノース、フルクトース、リボース、キシロース、アラビノース、ガラクトース、アルドン酸、グルシシール、ソルビット、マルトース、セロビオース、ラクトース、スクロース、トレハロース、マルトトリオース等の糖類等）、ｐＨ調整剤、防腐剤、防かび剤、消泡剤、紫外線吸収剤、酸化防止剤等を含有させることができる。
【００２２】
また、本発明の液体組成物は、記録画像（インクの付着部分）の色調への影響を最小限に抑える観点から、染料や顔料等の着色剤を含有させないことが好ましい。但し、記録媒体上で有色インクと混合された際にインクの色調に影響を及ぼさない範囲で、液体組成物中に着色剤を含有させることは可能である。
【００２３】
本発明の液体組成物は、インクジェットノズルから安定的に吐出され、良好な画質が得られるようにする観点から、液温２０℃での粘度が２〜５ｍＰａ・ｓの範囲にあり、表面張力が１８〜５０ｍＮ／ｍの範囲にあることが好ましい。斯かる物性値は、親水性溶剤や界面活性剤等の各種成分の含有量を適宜調製することにより得られる。
【００２４】
次に、本発明のインクセット及び該インクセットを収容したインクカートリッジについて説明する。
【００２５】
本発明のインクセットは、上述の液体組成物と、着色剤として顔料を含有する有色インクの１種以上とを備えている。この有色インクとしては、通常のインクジェット記録で使用されるカラー顔料インクと同様のものを特に制限無く使用することができる。
【００２６】
本発明に係る有色インクに含有される顔料（着色剤）としては、例えば、アゾ顔料（例えば、アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料等）、ニトロ顔料、ニトロソ顔料、アニリンブラック等の有機顔料；カーボンブラック（例えば、ファーネスブラック、サーマルランプブラック、アセチレンブラック、チャンネルブラック等）、金属酸化物、金属硫化物、金属塩化物等の無機顔料；シリカ、炭酸カルシウム、タルク等の体質顔料等を用いることができる。また、イエローインク用の顔料としては、例えば、Ｃ．Ｉ．ピグメントイエロー７４、９３、１０９、１１０、１２８、１３８、１５０、１５１、１５４、１５５、１８０、１８５等が挙げられる。マゼンタインク用の顔料としては、例えば、Ｃ．Ｉ．ピグメントレッド１２２、２０２、２０９及びＣ．Ｉ．ピグメントバイオレット１９等が挙げられる。シアンインク用の顔料としては、例えば、Ｃ．Ｉ．ピグメントブルー１５：３、１５：４及び６０等が挙げられる。イエロー、シアン、マゼンタ以外のカラーインクに用いる顔料としは、Ｃ．Ｉ．ピグメントグリーン７（フタロシアニングリーン）、１０（グリーンゴールド）、３６、３７；Ｃ．Ｉ．ピグメントブラウン３、５、２５、２６；あるいはＣ．Ｉ．ピグメントオレンジ１、２、５、７、１３、１４、１５、１６、３４、３６、３８等が挙げられる。顔料（着色剤）の含有量は、画像濃度と吐出安定性とのバランスの観点から、有色インクの全重量に対して、好ましくは０．１〜２０重量％、更に好ましくは０．５〜１０重量％である。
【００２７】
本発明に係る有色インクには、着色剤（顔料）の他に、通常、水、親水性溶剤、その他の添加剤が含有される。水、親水性溶剤、その他の添加剤については、上述の液体組成物に使用されるものと同様のものを使用することができる。着色剤として、上記顔料に加えて、染料を含有させることもできる。また、必要に応じ、顔料を水性媒体中に均一分散させるための分散剤として、ポリビニルアルコール類、アクリル系樹脂、スチレン−アクリル共重合体等を含有させることもできる。
【００２８】
また、本発明のインクカートリッジは、上述した本発明のインクセットを収容したものである。インクカートリッジ自体（インクセットを除いた部分）は、上述のインクセットが収容できるものであればよく、その形状、材質は特に限定されない。
【００２９】
次に、本発明の画像形成方法について説明する。
本発明の画像形成方法は、（Ａ）着色剤として顔料を含有する有色インクをインクジェット方式により記録媒体に付着させる工程と、（Ｂ）上述の液体組成物をインクジェット方式により記録媒体に付着させる工程と、を有する。上記工程（Ａ）で使用する有色インクとしては、上述した本発明のインクセットを構成する有色インクの１種以上を用いることができる。
【００３０】
上記工程（Ａ）及び上記工程（Ｂ）は、何れも公知のインクジェットプリンタを用いて実施することができる。特に、画像データに対応してインクを吐出させるオンデマンド方式のインクジェットプリンタが好ましい。また、インクジェットプリンタのインク吐出方式には、ピエゾ素子などの圧電素子を利用した電気−機械変換方式や、ヒータなどの電気−熱変換素子を利用した電気−熱変換方式などがあるが、本発明では何れのインク吐出方式でも利用できる。
【００３１】
液体組成物の付着量は、所定の効果を得るために必要十分な量とすることが好ましく、有色インクと液体組成物との単位面積当たりの付着重量比が、有色インク：液体組成物＝１：０．５〜１：３となるように調整することが好ましい。通常、液体組成物の付着量は、付着直後の湿潤状態において（ｗｅｔ換算で）、好ましくは８〜５０ｇ／ｍ2である。
【００３２】
本発明の画像形成方法においては、液体組成物による記録画像の耐擦性の向上効果を確実に得るために、上記工程（Ｂ）を、上記工程（Ａ）と同時か、又は上記工程（Ａ）より後に行なうことが好ましい。そして、記録媒体上で液体組成物とインクとを混合させるため、前者の場合は、液体組成物を有色インクの付着予定部に付着させ、後者の場合は、液体組成物を有色インクの付着部上に重ねて付着させること好ましい。また、後者の場合、有色インクを付着させてから液体組成物を付着させるまでの時間は数分以内とすることが好ましい。
【００３３】
本発明（液体組成物、インクセット、画像形成方法）は、インクを使用した画像記録がなされる種々の記録媒体に適用することができる。本発明は、特に、従来の顔料インクでは顔料粒子の脱落が起こり易かった、表面光沢性（表面平滑性）の高い記録媒体に対して有効であり、該記録媒体上に、顔料粒子の脱落が起こり難く、耐擦性に優れた画像を出力することが可能である。本発明が特に有効な記録媒体としては、例えば、被記録面のＪＩＳ−Ｚ８７４１で規定する２０光沢度が１０％以上の光沢紙が挙げられる。該光沢紙の具体例としては、紙やフィルムや樹脂被覆紙等からなる支持体上に、シリカやアルミナ等の多孔質顔料及び該多孔質顔料を結着させるバインダー樹脂を含有する、空隙構造を有するインク受容層が設けられた構成の光沢系インクジェット専用紙が挙げられる。
【実施例】
【００３４】
以下に、本発明の実施例及び本発明の効果を示す試験例を挙げて、本発明をより具体的に説明するが、本発明は、斯かる実施例により何等制限されるものではない。
【００３５】
（液体組成物１の調製）
合成ダイヤモンド粒子（衝撃法によって製造された球形状のダイヤモンド粒子、平均粒子径１１０ｎｍ、日本油脂製） １０重量％、分散剤（ポイズ５２０、花王製） １重量％、及びイオン交換水 残量を混合し、この混合物を高圧ホモジナイザー（４０ＭＰａ、２Ｈ）を用いて分散し、ダイヤモンド分散液を得た。そして、このダイヤモンド分散液を用いて、下記組成の液体組成物１を調製した。
【００３６】
＜液体組成物１の組成＞
・ダイヤモンド分散液      ２０．０重量％（固形分換算で２．０重量％）
・グリセリン                                        １０．０重量％
・１，２−プロパンジオール                            ５．０重量％
・界面活性剤（ビックケミー製、ＢＹＫ３４８）          ０．５重量％
・イオン交換水（主溶媒）                                    残量
計１００重量％
【００３７】
（液体組成物２の調製）
（液体組成物１の調製）において、ダイヤモンド分散液の含有量を６．０重量％（固形分換算で０．６重量％）とした以外は（液体組成物１の調製）と同様にして液体組成物２を調製した。
【００３８】
（液体組成物３の調製）
（液体組成物１の調製）において、ダイヤモンド分散液の含有量を７９．０重量％（固形分換算で７．９重量％）とした以外は（液体組成物１の調製）と同様にして液体組成物３を調製した。
【００３９】
（液体組成物４の調製）
（液体組成物１の調製）において、ダイヤモンド分散液の含有量を４．７重量％（固形分換算で０．４７重量％）とした以外は（液体組成物１の調製）と同様にして液体組成物４を調製した。
【００４０】
（液体組成物５の調製）
（液体組成物１の調製）において、ダイヤモンド分散液の含有量を８４．５重量％（固形分換算で８．４５重量％）とし、主溶媒としてイオン交換水を含有させなかった以外は（液体組成物１の調製）と同様にして液体組成物５を調製した。
【００４１】
（有色インクの調製）
有色インクとして、下記組成の顔料インクを調製した。
【００４２】
＜有色インクの組成＞
・キクナドリン顔料（Ｃ．Ｉ．ピグメントレッド１２２）  ４．０重量％
・グリセリン                                        １０．０重量％
・１，２−プロパンジオール                            ５．０重量％
・界面活性剤（ビックケミー製、ＢＹＫ３４８）          ０．５重量％
・イオン交換水                                              残量
【００４３】
〔実施例１〜実施例５〕
インクジェットプリンタ（ＰＸ−Ｇ９００、セイコーエプソン製）を用いて、光沢系インクジェット専用紙（写真用紙＜光沢＞、被記録面のＪＩＳ−Ｚ８７４１で規定する２０光沢度１５％、セイコーエプソン製）の被記録面に、上記有色インクにより解像度１４４０×７２０ｄｐｉの画像を形成した後、更に、該画像上に、上記液体組成物１〜５の何れか１種を均一に付着させた。有色インクの付着量はｗｅｔ換算で１５ｇ／ｍ2とし、液体組成物Ａの付着量はｗｅｔ換算で８ｇ／ｍ2とした。こうして得られた記録物を、それぞれ実施例１〜５のサンプルとした。
【００４４】
〔比較例〕
実施例１において、有色インクの付着部分（画像）上に液体組成物を付着させなかった以外は実施例１と同様にして画像形成を行い、得られた記録物を比較例のサンプルとした。
【００４５】
〔評価試験〕
上記各サンプル（記録物）について、画像耐擦性、発色性をそれぞれ下記の評価方法により評価した。また、上記液体組成物１〜５の吐出安定性を下記の評価方法により評価した。これらの結果を下記表１に示す。
【００４６】
（画像耐擦性の評価方法）
ＪＩＳ−Ｋ５７０１に従い、サザーランド耐擦性試験機（東洋精機製ＮＯ．４６８）を用いて上記サンプルの記録画像を２０往復摩擦し、摩擦後の記録画像の状態を目視で観察して、傷が無いものをＡ（画像耐擦性良好）、細かい傷が見られるが実用上問題ないものをＢ、傷が目立つものをＣとした。
【００４７】
（発色性の評価方法）
上記サンプルの記録画像について、グレタグマクベス社製のスペクトロリーノＳＰＭ−５０を用い、視野角２度、光源Ｄ５０、フィルター無しの条件で反射光学濃度（ＯＤ値）を測定し、ＯＤ値が１．８以上のものをＡ（画像濃度が濃く発色性良好）、ＯＤ値が１．６を超え１．８未満のものをＢ、ＯＤ値が１．６以下のものをＣとした。
【００４８】
（吐出安定性の評価方法）
先ず、液体組成物をインクカートリッジに収容したインクジェットプリンタ（ＰＸ−Ｇ９００、セイコーエプソン製）を用いて印刷を行い、その液体組成物が安定して吐出されることを確認した。次いで、インクジェットプリンタを、記録ヘッドをホームポジションから外した状態で室温５０℃、相対湿度４０％の環境下に４週間放置した。次いで、インクジェットプリンタを通常の室内環境下に置き、プリンタの温度が室温とほぼ同じとなったところでプリンタの電源を入れて、記録用紙１０００枚に対してベタ印刷を行った。インクの吐出が不安定になった場合は、インクジェットプリンタに標準装備されている所定のクリーニング機能を用い、吐出の安定した状態に復帰させた。以上の操作を行い、下記評価基準により吐出安定性を評価した。
Ａ：印刷中にノズルの目詰まりが発生せず、液体組成物が安定して吐出される。吐出安定性良好。
Ｂ：印刷中に目詰まりが発生し、液体組成物の吐出が安定するまでに２回以内のクリーニング動作を要する。実用上問題なし。
Ｃ：印刷中に目詰まりが発生し、液体組成物の吐出が安定するまでに３回以上のクリーニング動作を要する。
【００４９】
【表１】
2007062127.tif 000002